(57)【要約】【課題】脱着容易な脱穀機の処理室カバーを提供する。【解決手段】処理室５の機体外側面を覆う処理室カバー２３は、上部処理室カバー２５、下部処理室カバー２６及び桶状カバー２７からなり、下部処理室カバー２６の桶状カバー２７の取付部には網部２６ａが一体に構成されている。処理室カバー２３は脱穀機１の右側面２２にノブ付きボルト３１，３３，３５，３９，４０によって取付けられていると共に、その中央部の下方には２番還元筒２０の上部カバー２０ａが近接して配設されている。２番還元筒２０の上部カバー２０ａが近接して配設されている下部処理室カバー２６の中央部には取付座３６が設けられており、この取付座３６を２番還元筒２０の上部カバー２０ａの取付座３７に長めのノブ付きボルト３９で連結することによって固定されている。【選択図】図７
2009268411.tif 000002
【特許請求の範囲】
【請求項１】
扱室の後方かつ穂先側に並設され、処理胴を軸架する処理室と、これら扱室及び処理室から漏下する混合物から穀粒を選別する排塵選別室とを備え、選別不十分な穀粒を２番還元筒によって前記排塵選別室に還元し、再度選別処理を行う脱穀機において、
前記２番還元筒の上端部を前記処理室の下方に近接して配置し、
前記処理胴の機体外側を覆う処理室カバーを、前記脱穀機の側面にボルト部材によって固定すると共に、前記処理室カバーの前記２番還元筒の上方部分は、強度の高い該２番還元筒の上端部に固定する、
ことを特徴とした脱穀機。
【請求項２】
前記処理室カバーは、略々半円筒形のカバー部材であり、その上下方向中央部ほど機体外側に突出して構成されていると共に、
前記処理室カバーの前後方向中央部の機体外側に取付座を設け、該取付座を介して前記処理室カバーを前記２番還元筒の上端部に固定した、
請求項１記載の脱穀機。
【発明の詳細な説明】
【技術分野】
【０００１】
本発明は、例えばコンバインやハーベスタなどに搭載される脱穀機に関し、詳しくは脱穀機を覆うカバー構造に関する。
【背景技術】
【０００２】
従来、扱胴を回転自在に軸架する扱室の後方かつ穂先側に、処理胴を軸架する処理室を並設すると共に、処理室の機体内側面を処理網（受網）で形成し、処理室の機体外側面を処理室カバーにより形成した脱穀機が案出されている（特許文献１参照）。
【０００３】
【特許文献１】特開２００２−１７６８３７号公報
【発明の開示】
【発明が解決しようとする課題】
【０００４】
上記特許文献１記載の処理室カバーは、その上縁及び下縁を複数のボルト部材で脱穀機の側面に固定して取付けられているが、処理室の下方には選別不十分な穀粒を排塵選別室へと還元する２番還元筒の上端部が近接して配置されており、この２番還元筒の上方部分のスペースが狭くなって、上記ボルト部材を脱穀機の側面に締め付けづらかった。
【０００５】
そこで、本発明は処理室カバーの２番還元筒の上方部分を、２番還元筒の上端部に固定することによって、上記課題を解決した脱穀機を提供することを目的とする。
【課題を解決するための手段】
【０００６】
請求項１に係る発明は、扱室（３）の後方かつ穂先側に並設され、処理胴（７）を軸架する処理室（５）と、これら扱室（３）及び処理室（５）から漏下する混合物から穀粒を選別する排塵選別室（１１）とを備え、選別不十分な穀粒を２番還元筒（２０）によって前記排塵選別室（１１）に還元し、再度選別処理を行う脱穀機（１）において、
前記２番還元筒（２０）の上端部（２０ａ）を前記処理室（５）の下方に近接して配置し、
前記処理胴（７）の機体外側を覆う処理室カバー（２３）を、前記脱穀機（１）の側面（２２）にボルト部材（３１，３３，３５，４０）によって固定すると共に、前記処理室カバー（２３）の前記２番還元筒（２０）の上方部分は、強度の高い該２番還元筒（２０）の上端部（２０ａ）に固定する、
ことを特徴とした脱穀機にある。
【０００７】
請求項２に係る発明は、前記処理室カバー（２３）は、略々半円筒形のカバー部材であり、その上下方向中央部ほど機体外側に突出して構成されていると共に、
前記処理室カバー（２３）の前後方向中央部の機体外側に取付座（３６）を設け、該取付座（３６）を介して前記処理室カバー（２３）を前記２番還元筒（２０）の上端部（２０ａ）に固定した、
請求項１記載の脱穀機にある。
【０００８】
なお、括弧内の符号等は、図面と対照するためのものであるが、これにより特許請求の範囲に何等影響を及ぼすものではない。
【発明の効果】
【０００９】
請求項１に係る発明によると、処理室カバーの２番還元筒上方部分を、強度の高い２番還元筒の上端部に固定したことによって、処理室カバーの取付けが容易になると共に、その剛性を向上させることができる。
【００１０】
請求項２に係る発明によると、処理室カバーの前後方向中央部の機体外側を、フレームが通っていない脱穀機の側面ではなく、２番還元筒の上端部に固定することによって、処理室カバーの取付け強度を向上させることができる。
【発明を実施するための最良の形態】
【００１１】
以下、図面に基づいて本発明に係る実施形態について説明をする。
【００１２】
＜実施形態１＞
図１に示すように、コンバインの脱穀機１は、フィードチェーン２によって搬送されてきた穀稈を脱穀する扱室３の機体後方に、扱室３で脱穀した穀粒及び藁屑を再度脱穀する処理室５を並設しており、これら扱室３及び処理室５には、複数の扱歯６ａ，７ａがその外周に設けられた扱胴６及び処理胴７が回転自在に軸架されている。また、これら扱胴６及び処理胴７の下方には排塵選別室１１が設けられており、受網９及び処理網１０から漏下した穀粒と藁屑との混合物を選別している。
【００１３】
上記排塵選別室１１には、混合物を揺動選別する揺動選別体１２と、排塵選別室１１内に選別風を送風する唐箕ファン１３と、藁屑などの排塵を吸引する吸引ファン１５とからなる穀粒選別装置１６が設けられており、この穀粒選別装置１６によって選別された穀粒は、１番口Ａに設けられた揚穀ラセンを内装した揚穀ラセン筒１７によってグレンタンク１９に回収されると共に、選別不十分な穀粒は２番口Ｂに設けられた還元ラセンを内装した２番還元筒２０によって揺動選別体１２上に還元されて再度選別処理される。
【００１４】
図２乃至４に示すように、上記処理室５は、扱室３の後端穂先側に設けられた送塵口２１により扱室３と連通しており、略々円筒形の形状をして処理胴７を覆っている。この処理室５のうち、揺動選別体１２の上方に位置する機体内側面は、クリンプ網からなる処理網１０によって形成され、脱穀機１の右側面２２から機体外側に突出した処理室５の機体外側面は、略々半円筒形の処理室カバー２３によって形成されている。
【００１５】
上記処理室カバー２３は、図５乃至図７に示すように、処理室５の機体外側面上方を形成する上部処理室カバー２５と、処理室５の機体外側面下方を形成する下部処理室カバー２６と、この下部処理室カバー２６に一体に形成された網部２６ａから漏下する穀粒を排塵選別室１１の開口部Ｄへと案内する桶状カバー２７とに３分割して構成されており、その上下方向中央部ほど機体外側に突出して設けられている。
【００１６】
また、処理室５の下方では、２番還元筒２０が脱穀機１の底部から上方に向って略々垂直に立設しており、排塵選別室１１の中部上方に開口した２番還元口Ｅから選別不十分な穀粒を揺動選別体上に放出している。この２番還元口Ｅの後方には、上記排塵選別室１１の開口部Ｄが隣接して設けられており、脱穀機１の右側面２２では２番還元筒２０の上部カバー（上端部）２０ａが、下部処理室カバー２６の下方かつ桶状カバー２７の前方に近接して配置されている。
【００１７】
次に処理室カバー２３の取付け構造について説明をする。脱穀機１の右側面２２には処理室の前面２９及び後面３０を形成する略々半円形の板状部材が機体外側に突出して一体に設けられており、これら前後面間には上記処理胴７が軸架されている。処理室カバー２３は、この前後面２９，３０の外縁に沿って処理胴７を覆っていると共に、脱穀機１の右側面２２に８本のノブ付きボルト３１，３３，３５，４０によって取付けられている。
【００１８】
上記処理室カバー２３の上部処理室カバー２５は、その上縁の前部、後部、中部の３箇所をノブ付きボルト３１，３１，３１で脱穀機１の右側面２２に固定されており、その下縁は固定ボルト３２，３２，３２によって下部処理室カバー２６の上縁と一体に連結されている。また、下部処理室カバー２６の上縁は、その前後端部をノブ付きボルト３３、３３によって上記処理室５の前後面２９，３０にそれぞれ固定していると共に、下部処理室カバー２６の下縁は、その前部及び後部を脱穀機１の右側面２２にノブ付きボルト３５，３５によって固定している。
【００１９】
一方、下部処理室カバー２６の前後方向中央部には、機体外側（機体上下方向中央側）にステー状の取付座３６が設けられており、その後方には桶状カバー２７を取付ける鍔部２６ｂ，２６ｂが配設され、その下方には２番還元筒２０の上部カバー２０ａがそれぞれ近接して配設されている。また、２番還元筒２０の上部カバー２０ａも同様に取付座３７がボルト３７ａ，３７ａによって脱着自在に設けられており、これら２番還元筒側及び下部処理室カバー側の取付座３６，３７がノブ付きボルト３９によって連結されることによって、下部処理室カバー２６の中央部が固定されている。
【００２０】
上記下部処理室カバー２３の中央部を固定するノブ付きボルト３９は、通常よりも長いものが使用され、処理室カバー２３の頂部及び２番還元筒２０の上部カバー２０ａの外縁よりも突出するように構成されている。
【００２１】
また、上記桶状カバー２７は、その上部を下部処理室カバー２６の中央部から後方に亘って一体に形成された網部２６ａの前後端に設けられた鍔部２６ｂ，２６ｂにノブ付きボルト４０，４０によって固定されていると共に、その下部は脱穀機１の右側面２２に設けられた嵌込部４１に嵌め込まれて固定されている。
【００２２】
なお、上述した下部処理室カバー側の取付座３７は、２番還元筒２０を取外すことを考慮して脱着自在に構成されている。
【００２３】
次に、本実施の形態に係る脱穀機１の作用について説明をする。作業者は処理室５の簡単なメンテナンス作業を行う場合、桶状カバー２７を取外して下部処理室カバー２６の網部２６ａ、排塵選別室１１の開口部Ｄを露出させ、これら下部処理室カバー２６の網部２６ａ及び排塵選別室内１１を清掃したり、上部処理室カバー２５を取外して処理胴７の清掃をしたりする。
【００２４】
上記桶状カバー２７は、下部処理室カバー２６の鍔部２６ｂ，２６ｂに取付けられた２本のノブ付きボルト４０，４０を外した後に桶状カバー２７の下部を嵌込部４１から引抜くことによって取外されると共に、上部処理室カバー２５は、その３本の固定ボルト３２，３２，３２及びノブ付きボルト３１，３１，３１を外すことによって取外される。
【００２５】
一方、処理室全体のメンテナンスをする際には、まず、桶状カバー２７を取外すと共に、上下の処理室カバー２５，２６を脱穀機１の右側面２２に固定しているノブ付きボルト３１，３３，３５及び、取付座３６，３７を連結するノブ付きボルト３９を全て取外し、処理胴７及び機体内側の処理網１０を開放する。作業者は処理室カバー全体が取外されると、これら処理胴７、処理網１０及び下部処理室カバー２６の網部２６ａなどを清掃すると共に、処理室全体の損傷箇所のチェックなどをする。
【００２６】
上述したように脱穀機１を構成したことによって、下部処理室カバー２６の前後方向中央部を、取付座３６，３７を介して２番還元筒２０の上部カバー２０ａに固定することができる。それにより、桶状カバー２７及び２番還元筒２０が隣接して配置された下部処理室カバー２６の前後方向中央部でも、容易に脱穀機１の右側面に固定することができる。また、２番還元筒２０の上部カバー側の取付座３６とを連結するノブ付きボルト３９を通常よりも長くしたことによっても、その取付け性が向上した。
【００２７】
更に、強度の強い２番還元筒２０の上部カバー２０ａに下部処理室カバー２６の前後方向中央部を固定したので、処理室カバー全体の剛性が向上すると共に、網部２６ａに穀粒が停滞し、最も荷重がかかる桶状カバー２７の取付け口のある下部処理室カバー２６の前後方向中央部においても、カバーが変形して穀粒が漏れ出す虞がない。また、上述したように下部処理室カバー２６の前後方向中央部には荷重がかかるため、ノブ付きボルト３９による締付力が最も働くが、この下部処理室カバー２６の前後方向中央部を、取付座３６，３７を介して２番還元筒２０の上部カバー２０ａに固定したため、フレームの通っていない脱穀機の右側面２２中央部に取付ける必要がなくなり、処理室カバー２３の取付け強度が向上した。
【００２８】
＜実施形態２＞
図８は、本発明の実施形態２に係る脱穀機を示すものである。この実施形態は、実施形態１における取付座３６，３７を９０度向きを回転させて配設したものであり、以下に実施形態１の構成と相違する部分について説明をする。
【００２９】
図８に示すように、下部処理室カバー２６の中央部及び２番還元筒２０の上部カバー２０ａに取付けられた取付座３６，３７は、それぞれ脱穀機１の前後方向に対して垂直方向（脱穀機の幅方向）にオーバーラップするように配設されており、これらの取付座３６，３７は脱穀機１の前方からノブ付きボルト３９によって連結されている。
【００３０】
上記取付座３６，３７は、下部処理室カバー２６及び２番還元筒２０の取付け方向に対して垂直方向に設けられているため、作業者は２番還元筒２０、２番還元筒２０の上部カバー２０ａもしくは下部処理室カバー２６を脱着する際に、いちいち取付座３６，３７を外す必要がない。
【図面の簡単な説明】
【００３１】
【図１】本願発明の実施形態１に係る脱穀機の左側面図。
【図２】本願発明の実施形態１に係る脱穀機の平面図。
【図３】図２のＸ−Ｘ断面図。
【図４】図２のＴ−Ｔ断面図。
【図５】本願発明の実施形態１に係る脱穀機の斜視図。
【図６】本願発明の実施形態１に係る脱穀機の処理室カバーを取外した状態を示す斜視図。
【図７】本願発明の実施形態１に係る脱穀機の桶状カバーを取外した状態を示す斜視図。
【図８】本願発明の実施形態２に係る脱穀機の右側面図。
【符号の説明】
【００３２】
１      脱穀機
３      扱室
５      処理室
７      処理銅
１１    排塵選別室
２０    ２番還元筒
２０ａ  上部カバー（２番還元筒の上端部）
２２    脱穀機の右側面
２３    処理室カバー
３１，３３，３５，４０  ノブ付きボルト（ボルト部材）
３６    取付座
【図１】
2009268411.tif 000003
【図２】
2009268411.tif 000004
【図３】
2009268411.tif 000005
【図４】
2009268411.tif 000006
【図５】
2009268411.tif 000007
【図６】
2009268411.tif 000008
【図７】
2009268411.tif 000009
【図８】
2009268411.tif 000010